(57)【特許請求の範囲】
【請求項１】
外パイプと、
外周の軸線方向に設けられた複数の凹部を有しており、前記外パイプ内を軸線方向に移動自在の内パイプと、
前記外パイプの端部の内周面と前記内パイプの外周面との間に設けられており、前記内パイプの凹部と係合する爪部が設けられた操作体と、
前記外パイプの外周に配され、前記操作体と前記内パイプの凹部との係合を解除する解除手段とを有しており、
前記解除手段は、前記外パイプの前記軸線方向に移動自在に配されており、この軸線方向の移動に伴い前記操作体と前記内パイプの凹部との係合を解除し、かつ、前記解除手段は、前記外パイプの前記軸線方向に垂直な方向に移動可能に配されており、前記軸線方向に垂直な方向の移動に伴い前記操作体と前記内パイプの凹部との係合を解除するように構成されている
電気掃除機用延長管。
【請求項２】
電動送風機を内蔵する掃除機本体を有し、前記掃除機本体に接続されるホースの先端パイプに、請求項１に記載の電気掃除機用延長管の一端を接続し、前記電気掃除機用延長管の他端側が前記掃除機本体の吸引力を受けるようにした電気掃除機。
【発明の詳細な説明】
【０００１】
【発明の属する技術分野】
本発明は、電気掃除機用延長管及びそれを用いた電気掃除機に関するものである。
【０００２】
【従来の技術】
従来の電気掃除機の延長管を、図１１〜図１３を用いて説明する。
【０００３】
まず、図１１及び図１２において、一端が掃除機本体に接続されたホ一ス５１の他端に先端パイプ５２を設け、前記先端パイプ５２は、外パイプ５６と内パイプ５５などから成る延長管５４を介して床ノズル５３に接続されている。延長管５４は、外パイプ５６と、この外パイプ５６の他端より内挿入され軸線方向に伸縮移動する内パイプ５５と、前記外パイプ５６の端部に回動自在にネジ嵌合された回転リング５７と、前記回転リング５７内に配設され、内パイプ５５の係止状態を保つ締め輪６２で構成されている。
【０００４】
外パイプ５６の端部にネジ嵌合部５７ａでネジ嵌合された回転リング５７を内パイプ５５の反対側へ移動する方向に回転させると、回転リング５７はネジ嵌合により内パイプ５５の反対側へ移動する。この時、回転リング５７に凹凸嵌合された締め輪６２も連動して内パイプ５５の反対側へ移動する。これにより外パイプ５６の端部内面５６ａに締め輪６２のくさび状の端部６２ａが食い込んで行く。外パイプ５６の端部内面５６ａに食い込んだ締め輪６２の端部６２ａの内周面は、内パイプ５５の外周面に圧接されることとなり、これにより内パイプ５５は、締め付けられ係止状態となる。次に外パイプ５６の端部にネジ嵌合部５７ａでネジ嵌合された回転リング５７を内パイプ５５側に移動する方向に回転させると、回転リング５７はネジ嵌合により内パイプ５５側に移動する。この時、回転リング５７に凹凸嵌合された締め輪６２も連動して内パイプ５５側に移動する。これにより外パイプ５６の端部内面５６ａに食い込んでいたくさび状の締め輪６２の端部６２ａが外パイプ５６の端部内面５６ａから離れる方向に移動し、締め輪６２の端部６２ａの内パイプ５５の外周面への圧接が解除され、内パイプ５５の係止状態も解除され、内パイプ５５は軸線方向に伸縮移動が可能となる。
【０００５】
さらに他の従来例として図１３を用いて説明する。内パイプ５５の軸線方向に複数設けた凹部６１に爪部６３がばね６０によって付勢されることによって嵌合する押しボタン５９で構成されている。押しボタン５９を指で押すと爪部６３が凹部６１より抜け出し、嵌合が解除され、内パイプ５５の係止状態は解除され、内パイプ５５は軸線方向に伸縮移動が可能となる。次に、押されていた押しボタン５９から指を離すとばね６０によって付勢されている押しボタン５９の爪部６３は、凹部６１に入って嵌合され、内パイプ５５が係止状態となる。つまり、押しボタン５９を押して使用に適する長さまで内パイプ５５を引き出して、押しボタン５９から手を離せば内パイプ５５はその長さで固定されることとなる。
【０００６】
【発明が解決しようとする課題】
前記外パイプ５６の端部に回動自在にネジ嵌合された回転リング５７と前記回転リング５７内に配設され、内パイプ５５の係止状態を保つ締め輪６２で構成されたものは、前記の係止状態あるいは係止を解除し内パイプ５５を伸縮する際に回転リング５７を回転操作をする必要があり、操作性がよくないという課題を有していた。つまり、締め輪６２を内パイプ５５の外周面に圧接させるためには、回転リング５７を相当回転させなければならず、また、締め輪６２の圧接を強くしないと床ノズル５３が壁際などに衝突することで内パイプ５５が縮んでしまうので、圧接するのに力を要するというものであった。
【０００７】
また、内パイプ５５に設けた凹部６１に爪部６３をばね６０によって付勢し嵌合する押しボタン５９で構成されているものは、前記の回転リング５７による方式に比べて操作は容易となるが、押しボタン５９を指で押す操作が必要で、押しボタン５９の位置を探して押さなければならず、操作性がよくないという課題を有していた。
【０００８】
本発明は以上のような従来の課題を解決するものであり、伸縮操作性を向上させることを目的としている。
【０００９】
【課題を解決するための手段】
上記目的を達成するために本発明は、外パイプと、外周の軸線方向に設けられた複数の凹部を有しており、前記外パイプ内を軸線方向に移動自在の内パイプと、前記外パイプの端部の内周面と前記内パイプの外周面との間に設けられており、前記内パイプの凹部と係合する爪部が設けられた操作体と、前記外パイプの外周に配され、前記操作体と前記内パイプの凹部との係合を解除する解除手段とを有しており、前記解除手段は、前記外パイプの前記軸線方向に移動自在に配されており、この軸線方向の移動に伴い前記操作体と前記内パイプの凹部との係合を解除し、かつ、前記解除手段は、前記外パイプの前記軸線方向に垂直な方向に移動可能に配されており、前記軸線方向に垂直な方向の移動に伴い前記操作体と前記内パイプの凹部との係合を解除するように構成されているものである。
【００１０】
この構成では、解除手段が外パイプの外周に配されているので、内パイプの凹部と係合を行う操作体の位置に限定されることなく、解除手段を外パイプの操作しやすい場所に配することができることに加え、解除手段を外パイプの外周全体或いは一部を覆うように配することができるので、従来のように押しボタンの位置を探して押す等の操作が不要となり、また、操作体で内パイプの凹部と係合させる構造なので、従来のように回転リングを回転させて内パイプに圧接する操作も不要となり、伸縮操作性が良好となる。また、解除手段を、外パイプの軸線方向に移動自在に配し、この軸線方向の移動に伴い操作体の係合を解除するので、解除手段を軸線方向に移動させるという簡単な操作で内パイプの凹部の係合を解除でき、より伸縮操作が容易で使用性の良好な電気掃除機用の延長管を提供できる。
【００１１】
【発明の実施の形態】
本発明の請求項１記載の発明は、外パイプと、外周の軸線方向に設けられた複数の凹部を有しており、前記外パイプ内を軸線方向に移動自在の内パイプと、前記外パイプの端部の内周面と前記内パイプの外周面との間に設けられており、前記内パイプの凹部と係合する爪部が設けられた操作体と、前記外パイプの外周に配され、前記操作体と前記内パイプの凹部との係合を解除する解除手段とを有しており、前記解除手段は、前記外パイプの前記軸線方向に移動自在に配されており、この軸線方向の移動に伴い前記操作体と前記内パイプの凹部との係合を解除し、かつ、前記解除手段は、前記外パイプの前記軸線方向に垂直な方向に移動可能に配されており、前記軸線方向に垂直な方向の移動に伴い前記操作体と前記内パイプの凹部との係合を解除するように構成されているものである。
【００１２】
この構成では、解除手段が外パイプの外周に配されているので、内パイプの凹部と係合を行う操作体の位置に限定されることなく、解除手段を外パイプの操作しやすい場所に配することができることに加え、解除手段を外パイプの外周全体或いは一部を覆うように配することができるので、従来のように押しボタンの位置を探して押す等の操作が不要となり、また、操作体で内パイプの凹部と係合させる構造なので、従来のように回転リングを回転させて内パイプに圧接する操作も不要となり、伸縮操作性が良好となる。
【００１３】
また、本発明の請求項１記載の発明は、解除手段を、外パイプの軸線方向に移動自在に配し、この軸線方向の移動に伴い操作体の係合を解除するので、解除手段を軸線方向に移動させるという簡単な操作で内パイプの凹部の係合を解除でき、より伸縮操作が容易で使用性の良好な電気掃除機用の延長管を提供できる。
【００１４】
本発明の請求項２記載の発明は、電動送風機を内蔵する掃除機本体と接続されるホースの先端パイプに、請求項１に記載の電気掃除機用延長管の一端を接続し、前記電気掃除機用延長管の他端側がに前記掃除機本体の吸引力を受けるようにした電気掃除機とすることにより、使い勝手の良い電気掃除機を提供することができる。
【００１５】
【実施例】
（実施例１）
以下、本発明の第１の実施例を図１及び図２を用いて説明する。なお従来例と同一部分については同一符号を付し、その説明を省略する。
【００１６】
延長管は外パイプ１と、この外パイプ１に内挿入され軸線方向（矢印Ｘ方向）に伸縮移動する内パイプ２を有し、前記外パイプ１の端部に回動軸９を回動中心として揺動する操作体を設けている。操作体４一端部には爪部５を形成し、この爪部５が内パイプ２の外周で軸線方向に複数設けた凹部６に係合する構造であり、爪部５はばね１０によって凹部６に係合する方向に付勢される。また、外パイプ１の端部外周には、操作体４の爪部５と反対側の他端部と接する接触部８ａを内周面に設けた筒状の解離体３（解除手段に相当）を配し、解離体３を軸線方向に移動自在としている。前記解離体３をＡ方向に移動させると接触部８ａで操作体４を押し下げ、爪部５を内パイプ２に設けた凹部６から離脱させ、爪部５と凹部６の係合を解除し、内パイプ２の伸縮移動を可能にするものである。１１は外パイプ１の端部に設けられた操作体４を支持している支持体である。
【００１７】
上記構成による作用は以下の通りである。
【００１８】
解離体３を手で握り、内パイプ２を引き出そうとすると解離体３がＡ方向に移動し、接触部８ａで操作体４を押し下げ、爪部５を内パイプ２に設けた凹部６から離脱し、内パイプ２の伸縮移動を可能にすることができる。また掃除使用後ホ−ス５１の先端部を持ち、解離体３をＡ方向に移動させながらホ−ス５１の先端部を床面側に押し下げることにより、内パイプ２を外パイプ１内に収納することができ、使用性の良好な電気掃除機用延長管及びそれを用いた電気掃除機が提供できるものである。
【００１９】
（実施例２）
次に本発明の第２の実施例を、図３、図１０を用いて説明する。なお、上記実施例と同一構成部品には同一符号を付し、その説明を省略する。解離体３をＢ方向に移動させると接触部８ａで操作体４を押し下げ、解離体３をＣ方向に移動させると接触部８ｂで操作体４の１２部を押し下げ爪部５を内パイプ２に設けた凹部６から離脱させ、爪部５と凹部６の係合を解除し、内パイプ２の伸縮移動を可能にをするものである。つまり、Ｂ方向、Ｃ方向の両方向どちらに移動させても内パイプ２の伸縮移動が可能である。
【００２０】
上記構成による作用は以下の通りである。
【００２１】
解離体３を手で握り、内パイプ２を引き出そうとした場合に解離体３がＢ方向に移動し、接触部８ａで操作体４を押し下げ、内パイプ２は容易に外パイプ１内より引き出され、内パイプ２を押し込もうとした場合も解離体３がＣ方向に移動し爪部５を内パイプ２に設けた凹部６から離脱し、内パイプ２は容易に外パイプ１内に押し込まれる。つまり、一方の手で解離体３を握り、他方の手で内パイプ２を握って、内パイプ２を引き出そうとすればそのまま内パイプ２は外パイプ１内より引き出され、押し込もうとすればそのまま内パイプ２は外パイプ１内に押し込まれてしまい非常に容易に内パイプ２の伸縮移動を可能にすることができるものである。
【００２２】
（実施例３）
次に本発明の第３の実施例を、図４〜図６を用いて説明する。なお、上記実施例と同一構成部品には同一符号を付し、その説明を省略する。外パイプ１の外周に有する解離体３を、外パイプ１外周の一部を包含するように略円弧状に設け、内パイプ２の係合部６から操作体４の爪部５を解離する方向（矢印Ｅ方向）に可動するように設けるものであり、係合部６から爪部５が解除することにより、爪部５と凹部６の係合を解除し、内パイプ２の伸縮移動を可能にするものである。
【００２３】
上記構成による作用は以下の通りである。
【００２４】
外パイプ１とその外周に有する解離体３を手で握ることにより解離体３がＥ方向に移動し、解離体３の内壁で操作体４を押し下げ、爪部５を内パイプ２に設けた凹部６から解離することにより、爪部５と凹部６の嵌合を解除し、図５（ｂ）の状態となり内パイプ２の伸縮移動を可能にするものである。
【００２５】
（実施例４）
次に本発明の第４の実施例を図７、図８を用いて説明する。なお、上記実施例と同一構成部品には同一符号を付し、その説明を省略する。前記外パイプ１の外周に有する７と８からなる解離体は長手軸芯に対し２分割で、隙間ｇ分矢印Ｇ方向に可動し、さらに外パイプ１の長手方向にも移動するように設けられている。
【００２６】
上記構成による作用は以下の通りである。
【００２７】
解離体７、８を手で握ることにより隙間ｇ分矢印Ｇ方向に可動して操作体４を押して爪部５を内パイプ２の係合部６から解離することにより、爪部５と凹部６の係合を解除し、内パイプ２の伸縮移動を可能にするものである。また外パイプ１の軸線方向にも移動するように設けることにより握力の弱い使用者に対しては、前記第１あるいは第２の実施例と同様に機能し伸縮が容易にできるものである。
【００２８】
（実施例５）
次に本発明の第５の実施例を図９を用いて説明する。なお、上記実施例と同一構成部品には同一符号を付し、その説明を省略する。前記操作体４の操作部４ａを外パイプ１端部の内パイプ２側に爪部５をホ−ス接続側に設けるものである。
【００２９】
上記構成による作用は以下の通りであり、操作体４の操作部４ａを外パイプ１端部の内パイプ２側に爪部５をホ−ス接続側に設けたことにより、外パイプ１の端部側からばね１０及び操作体４を挿入し、また内パイプ２及び解離体３も同様にして外パイプ１の端部側から挿入するだけで組立てを行うことができ、操作体４の外パイプ１と内パイプ２間への組み立てセットが容易となり安価で、かつ伸縮操作が容易で使用性の良好な電気掃除機用延長管及びそれを用いた電気掃除機が提供できる。なお、内パイプ２の伸縮動作については、第２の実施例と同様の操作となり、解離体３をＢ方向、Ｃ方向の両方どちらに移動させても内パイプ２の伸縮移動が可能である。
【００３０】
【発明の効果】
本発明の請求項１記載の発明によれば、電気掃除機用延長管を伸縮させる場合に、解除手段の操作性が良好となり、伸縮操作性が向上する。
【００３１】
また、本発明の請求項１記載の発明によれば、解除手段を軸線方向に移動することで操作体の係合を解除できるので、より伸縮操作が容易で使用性が良好となる。
【００３２】
本発明の請求項２記載の発明によれば、電動送風機を内蔵する掃除機本体と接続されるホースの先端パイプに、請求項１に記載の電気掃除機用延長管の一端を接続し、前記電気掃除機用延長管の他端側が前記掃除機本体の吸引力を受けるようにしたので、使い勝手の良い電気掃除機を提供することができる。
【図面の簡単な説明】
【図１】  本発明の第１の実施例を示す電気掃除機用延長管の斜視図
【図２】  同電気掃除機用延長管の要部断面図
【図３】  本発明の第２の実施例を示す電気掃除機用延長管の要部断面図
【図４】  本発明の第３の実施例を示す電気掃除機用延長管の要部側面図
【図５】  （ａ）図４のＤ−Ｄ断面図
（ｂ）図４のＤ−Ｄ断面図
【図６】  同電気掃除機用延長管の要部断面図
【図７】  （ａ）本発明の第４の実施例を示す電気掃除機用延長管の要部側面図
（ｂ）同図（ａ）のＦ−Ｆ断面図
【図８】  同電気掃除機用延長管の要部断面図
【図９】  本発明の第５の実施例を示す電気掃除機用延長管の要部断面図
【図１０】  本発明の第１及び第５の実施例の電気掃除機用延長管の外観斜視図
【図１１】  電気掃除機の外観斜視図
【図１２】  従来の電気掃除機用延長管の要部断面図
【図１３】  （ａ）他の従来例の電気掃除機用延長管の要部断面図
（ｂ）同電気掃除機用延長管の要部側面図
【符号の説明】
１  外パイプ
２  内パイプ
３  解離体
４  操作体
５  爪部
６  凹部
７  解離体
８  解離体
【図１】
0004461581.tif 000002
【図２】
0004461581.tif 000003
【図３】
0004461581.tif 000004
【図４】
0004461581.tif 000005
【図５】
0004461581.tif 000006
【図６】
0004461581.tif 000007
【図７】
0004461581.tif 000008
【図８】
0004461581.tif 000009
【図９】
0004461581.tif 000010
【図１０】
0004461581.tif 000011
【図１１】
0004461581.tif 000012
【図１２】
0004461581.tif 000013
【図１３】
0004461581.tif 000014